(57)【要約】【課題】  シャトルを直接手で拾う手間を省くことができるバドミントンセットを提供する。【解決手段】  ラケット１とシャトル２から成るバドミントンセットに於て、ラケット１のフレーム３とシャトル２が、相互に離脱自在に取着する取着手段Ｔを具備する。取着手段Ｔが、ラケットフレーム３とシャトル２の一方に設けられた磁石４と、他方に設けられた磁性体５から成る。【選択図】  図１
2006110093.tif 000002
【特許請求の範囲】
【請求項１】
ラケット（１）とシャトル（２）から成るバドミントンセットに於て、上記ラケット（１）のフレーム（３）と上記シャトル（２）が、相互に離脱自在に取着する取着手段（Ｔ）を具備することを特徴とするバドミントンセット。
【請求項２】
取着手段（Ｔ）が、ラケットフレーム（３）とシャトル（２）の一方に設けられた磁石（４）と、他方に設けられた磁性体（５）から成る請求項１記載のバドミントンセット。
【請求項３】
ラケットフレーム（３）の少なくとも先端（６）近傍に磁性体（５）を設け、かつ、シャトル（２）に磁石（４）を設けた請求項２記載のバドミントンセット。
【請求項４】
ラケットフレーム（３）が角パイプから成る請求項３記載のバドミントンセット。
【請求項５】
ラケットフレーム（３）の少なくとも先端（６）近傍に磁石（４）を設け、かつ、シャトル（２）に磁性体（５）を設けた請求項２記載のバドミントンセット。
【請求項６】
取着手段（Ｔ）が、ラケットフレーム（３）の少なくとも先端（６）近傍に設けられた磁石（４）と、シャトル（２）に設けられた磁石（４）から成る請求項１記載のバドミントンセット。
【請求項７】
シャトル（２）の磁石（４）が粉末状のネオジウム磁石から成り、上記シャトル（２）のヘッド（10）に上記磁石（４）を練り込んだ請求項３又は６記載のバドミントンセット。
【請求項８】
取着手段（Ｔ）が、ラケットフレーム（３）とシャトル（２）の一方に取付けられた面状ファスナー（11）のパイル生地（12）と、上記パイル生地（12）のパイル（13）と係脱自在な係止部（14）を有し他方に取付けられた面状ファスナー（11）の係止部材（15）から成る請求項１記載のバドミントンセット。
【請求項９】
取着手段（Ｔ）が、シャトル（２）の係止孔部（16）と、ラケットフレーム（３）の先端（６）近傍に突設されて上記シャトル（２）の係止孔部（16）に係止可能なフック（17）から成る請求項１記載のバドミントンセット。
【発明の詳細な説明】
【技術分野】
【０００１】
本発明は、バドミントンセットに関する。
【背景技術】
【０００２】
一般に、バドミントンセットは、ラケット（例えば、特許文献１参照）とシャトルから成る。
【０００３】
しかし、プレイ中にシャトルが床や地面に落ちるたびに、腰や足を曲げてシャトルを拾う必要があり、手間がかかるという欠点があった。
【特許文献１】特開平１１−１９２５１号公報
【発明の開示】
【発明が解決しようとする課題】
【０００４】
解決しようとする課題は、シャトルを拾うときに手間がかかる点である。
【課題を解決するための手段】
【０００５】
そこで、本発明に係るバドミントンセットは、ラケットとシャトルから成るバドミントンセットに於て、上記ラケットのフレームと上記シャトルが、相互に離脱自在に取着する取着手段を具備するものである。
また、取着手段が、ラケットフレームとシャトルの一方に設けられた磁石と、他方に設けられた磁性体から成るものである。
また、ラケットフレームの少なくとも先端近傍に磁性体を設け、かつ、シャトルに磁石を設けたものである。
また、ラケットフレームが角パイプから成るものである。
また、ラケットフレームの少なくとも先端近傍に磁石を設け、かつ、シャトルに磁性体を設けたものである。
【０００６】
また、取着手段が、ラケットフレームの少なくとも先端近傍に設けられた磁石と、シャトルに設けられた磁石から成るものである。
また、シャトルの磁石が粉末状のネオジウム磁石から成り、上記シャトルのヘッドに上記磁石を練り込んだものである。
【０００７】
また、取着手段が、ラケットフレームとシャトルの一方に取付けられた面状ファスナーのパイル生地と、上記パイル生地のパイルと係脱自在な係止部を有し他方に取付けられた面状ファスナーの係止部材から成るものである。
また、取着手段が、シャトルの係止孔部と、ラケットフレームの先端近傍に突設されて上記シャトルの係止孔部に係止可能なフックから成るものである。
【発明の効果】
【０００８】
本発明のバドミントンセットによれば、腰をかがめてシャトルを直接手で拾う手間を省くことができる。
【発明を実施するための最良の形態】
【０００９】
図１は、本発明の第１の実施の形態の使用状態を示す。このバドミントンセットは、ラケット１とシャトル２から成り、床や地面Ｇに落ちたシャトル２を、ラケット１に取着して（磁力により吸着して）拾うように構成されている。すなわち、ラケット１のフレーム３とシャトル２が、相互に離脱自在に取着する取着手段Ｔを具備する。
【００１０】
図２及び図３に示すように、取着手段Ｔは、ラケットフレーム３とシャトル２の一方に設けられた磁石４と、他方に設けられた磁性体５から成る。具体的には、ラケットフレーム３の少なくとも先端６近傍（図２にＡにて示す範囲）にスチールから成る磁性体５が設けられ、かつ、シャトル２に円環状の磁石４が設けられている。（なお、フレーム３の全周をスチールとするのは望ましいことである。）
【００１１】
図４及び図５に示すように、ラケットフレーム３は角パイプから成る。ラケットフレーム３はその外周面Ｍに周方向の溝７を有し、溝７内にガット８が収納状となるように、上記溝７の深さ寸法Ｄが設定されている。言い換えると、ラケットフレーム３は、その外周面Ｍよりもガット８を沈込状とするための周方向の溝７を有する。ラケットフレーム３とシャトル２を取着させるときに、ガット８が邪魔になるのを防ぐことができ、より取着するのが容易になる。
【００１２】
図６及び図７は、第２の実施の形態を示す。ラケットフレーム３の先端６近傍に磁石４が設けられ、かつ、シャトル２に円環状の（スチール等の）磁性体５が設けられている。
【００１３】
図８及び図９は、第３の実施の形態を示す。取着手段Ｔは、ラケットフレーム３の先端６近傍に設けられた磁石４と、シャトル２に設けられた磁石４から成る。ラケットフレーム３の磁石４はネオジウム磁石から成る。シャトル２の磁石４は、粉末状のネオジウム磁石から成り、シャトル２のゴム製（樹脂製）ヘッド10に磁石４が練り込まれている。
【００１４】
図10及び図11は、第４の実施の形態を示す。取着手段Ｔは、ラケットフレーム３とシャトル２の一方に取付けられた面状ファスナー11のパイル生地12と、パイル生地12のパイル13と係脱自在な係止部14を有し他方に取付けられた面状ファスナー11の係止部材15から成る。
【００１５】
図12及び図13は、第５の実施の形態を示す。取着手段Ｔは、シャトル２の係止孔部16と、ラケットフレーム３の先端６近傍に突設されてシャトル２の係止孔部16に係止可能なフック17から成る。
【００１６】
図14は、第６の実施の形態を示す。ラケットフレーム３の少なくとも先端の範囲Ｂに磁性体５が設けられる。（図示省略するが、シャトル２に磁石４が設けられている。）ラケットフレーム３の少なくとも先端の範囲Ｂに於て、外周面Ｍと上面Ｓ1 のコーナー部に、第１テーパ面18及び第２テーパ面19が設けられる。同様に、ラケットフレーム３の外周面Ｍと下面Ｓ2 のコーナー部に、第１テーパ面18及び第２テーパ面19が設けられる。
【００１７】
図15は、第６の実施の形態の使用状態を示す。シャトル２をラケット１に取着するとき、次に、上昇させるとき、その後、シャトル２を取外すときに、シャトル２が、吸着角度θを変化させつつ、順次、外周面Ｍ、第１テーパ面18、第２テーパ面19、下面Ｓ2 に吸着されつつ移動するので、シャトル２とラケットフレーム３との接触面積が（外周面Ｍと下面Ｓ2 のコーナー部がＲ状の場合と比較して）大きく、安定して容易かつ確実に、シャトル２をラケットフレーム３に取着することができる。（ラケットフレーム３の上面Ｓ1 に取着するときも、同様である。）
【００１８】
なお、本発明は、設計変更可能であって、例えば、各実施の形態に於ける磁石４の形状・種類を置き換えたものとするも良い。すなわち、磁石４の形状は、円環状、粉末状等のいずれでも良い。そして、磁石４の種類は、永久磁石、ネオジウム磁石等のいずれでも良い。
【００１９】
以上のように、本発明は、ラケット１とシャトル２から成るバドミントンセットに於て、ラケット１のフレーム３とシャトル２が、相互に離脱自在に取着する取着手段Ｔを具備するので、シャトル２を直接手で拾う手間を省くことができる。すなわち、（腰をかがめることなく）楽な姿勢で容易にシャトル２を拾うことができる。
【００２０】
また、取着手段Ｔが、ラケットフレーム３とシャトル２の一方に設けられた磁石４と、他方に設けられた磁性体５から成るので、簡単な構造であって、確実にシャトル２を取着することができる。
また、ラケットフレーム３の少なくとも先端６近傍に磁性体５を設け、かつ、シャトル２に磁石４を設けたので、簡単な構造であって、確実かつ容易にシャトル２を取着することができる。
また、ラケットフレーム３が角パイプから成るので、ラケットフレーム３が丸パイプから成る場合と比較して、シャトル２を取着するのが容易である。
また、ラケットフレーム３の少なくとも先端６近傍に磁石４を設け、かつ、シャトル２に磁性体５を設けたので、簡単な構造であって、確実かつ容易にシャトル２を取着することができる。
【００２１】
また、取着手段Ｔが、ラケットフレーム３の少なくとも先端６近傍に設けられた磁石４と、シャトル２に設けられた磁石４から成るので、簡単な構造であって、確実かつ容易にシャトル２を取着することができる。
また、シャトル２の磁石４が粉末状のネオジウム磁石から成り、シャトル２のヘッド10に磁石４を練り込んだので、簡単な構造であって、強い磁力にて、より確実かつ容易にシャトル２を取着することができる。
【００２２】
また、取着手段Ｔが、ラケットフレーム３とシャトル２の一方に取付けられた面状ファスナー11のパイル生地12と、パイル生地12のパイル13と係脱自在な係止部14を有し他方に取付けられた面状ファスナー11の係止部材15から成るので、簡単な構造であって、確実かつ容易にシャトル２を取着することができる。また、ラケット１のフレーム本体及びシャトル２に面状ファスナー11を後付けすることができるので、容易に製造することができる。
また、取着手段Ｔが、シャトル２の係止孔部16と、ラケットフレーム３の先端６近傍に突設されてシャトル２の係止孔部16に係止可能なフック17から成るので、簡単な構造であって、確実かつ容易にシャトル２を取着することができる。
【図面の簡単な説明】
【００２３】
【図１】第１の実施の形態の使用状態を示す正面図である。
【図２】第１の実施の形態のラケットを示す正面図である。
【図３】第１の実施の形態のシャトルを示す正面図である。
【図４】ラケットを示す要部拡大側面図である。
【図５】図４のＸ−Ｘ断面拡大図である。
【図６】第２の実施の形態のラケットを示す正面図である。
【図７】第２の実施の形態のシャトルを示す正面図である。
【図８】第３の実施の形態のラケットを示す正面図である。
【図９】第３の実施の形態のシャトルを示す正面図である。
【図１０】第４の実施の形態のラケットを示す正面図である。
【図１１】第４の実施の形態のシャトルを示す正面図である。
【図１２】第５の実施の形態のラケットを示す正面図である。
【図１３】第５の実施の形態のシャトルを示す正面図である。
【図１４】第６の実施の形態を示す説明図であり、 (ａ) は要部拡大断面図、 (ｂ) はさらにその要部拡大図、 (ｃ) は正面図である。
【図１５】第６の実施の形態の使用状態を示す簡略説明図である。
【符号の説明】
【００２４】
１  ラケット
２  シャトル
３  （ラケット）フレーム
４  磁石
５  磁性体
６  先端
10  ヘッド
11  面状ファスナー
12  パイル生地
13  パイル
14  係止部
15  係止部材
16  係止孔部
17  フック
Ｔ  取着手段
【図１】
2006110093.tif 000003
【図２】
2006110093.tif 000004
【図３】
2006110093.tif 000005
【図４】
2006110093.tif 000006
【図５】
2006110093.tif 000007
【図６】
2006110093.tif 000008
【図７】
2006110093.tif 000009
【図８】
2006110093.tif 000010
【図９】
2006110093.tif 000011
【図１０】
2006110093.tif 000012
【図１１】
2006110093.tif 000013
【図１２】
2006110093.tif 000014
【図１３】
2006110093.tif 000015
【図１４】
2006110093.tif 000016
【図１５】
2006110093.tif 000017